【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
印刷される原稿画像に対して情報を埋め込む画像処理装置であって、
前記原稿画像の印刷物に対して許可される複写の回数に応じて前記複写の際の所定の画像処理によって消えるパターンと消えないパターンとを前記原稿画像に重畳させた出力画像を生成するパターン重畳手段を有することを特徴とする画像処理装置。
【請求項２】
前記重畳手段は、前記印刷物に対して少なくとも一回の前記複写が許可される場合は、前記消えないパターンと共に前記消えるパターンを重畳させることを特徴とする請求項１記載の画像処理装置。
【請求項３】
前記重畳手段は、前記印刷物に対して許可される複写の回数ごとに異なる前記消えるパターンを重畳させることを特徴とする請求項２記載の画像処理装置。
【請求項４】
前記重畳手段は、前記印刷物に対して前記複写が許可されない場合は、前記消えないパターンを重畳させ、前記消えるパターンは重畳させないことを特徴とする請求項１乃至３いずれか一項記載の画像処理装置。
【請求項５】
前記重畳手段は、前記印刷物に対して許可される複写の回数に制限が無い場合は前記消えないパターンを重畳させないことを特徴とする請求項１乃至４いずれか一項記載の画像処理装置。
【請求項６】
前記原稿画像の印刷指示に応じ、前記出力画像を印刷装置に印刷させる印刷制御手段を有することを特徴とする請求項１乃至５いずれか一項記載の画像処理装置。
【請求項７】
原稿の複写の許否を前記原稿の原稿画像に含まれているパターンに応じて判定する画像処理装置であって、
前記複写の際の所定の画像処理によって消えるパターンが前記原稿画像に含まれているかを判定する第一の判定手段を有し、
前記原稿画像に前記消えるパターンが含まれている場合は前記複写を許可することを特徴とする画像処理装置。
【請求項８】
前記所定の画像処理によって消えないパターンが前記原稿画像に含まれているかを判定する第二の判定手段を有し、
前記原稿画像に前記消えないパターンが含まれており、前記消えるパターンが含まれていない場合は前記複写を許可しないことを特徴とする請求項７記載の画像処理装置。
【請求項９】
前記原稿画像に含まれている前記消えるパターンの態様に応じ、前記原稿画像に新たな前記消えるパターンを重畳させた出力画像を生成するパターン追加手段を有することを特徴とする請求項７又は８記載の画像処理装置。
【請求項１０】
前記パターン追加手段は、前記原稿画像に含まれている前記消えるパターンと異なる前記消えるパターンを重畳させることを特徴とする請求項９記載の画像処理装置。
【請求項１１】
前記原稿画像に前記消えないパターンが含まれていない場合は前記複写を許可することを特徴とする請求項７乃至１０いずれか一項記載の画像処理装置。
【請求項１２】
前記複写を許可しないときは、前記原稿画像を破壊した画像を複写結果として出力させることを特徴とする請求項７乃至１１いずれか一項記載の画像処理装置。
【請求項１３】
前記画像処理装置は、複写機を含むことを特徴とする請求項７乃至１２いずれか一項記載の画像処理装置。
【請求項１４】
印刷される原稿画像に対する情報の埋め込みをコンピュータに実行させる画像処理プログラムであって、
前記原稿画像の印刷物に対して許可される複写の回数に応じて前記複写の際の所定の画像処理によって消えるパターンと消えないパターンとを前記原稿画像に重畳させた出力画像を生成するパターン重畳手順を有することを特徴とする画像処理プログラム。
【請求項１５】
前記重畳手順は、前記印刷物に対して少なくとも一回の前記複写が許可される場合は、前記消えないパターンと共に前記消えるパターンを重畳させることを特徴とする請求項１４記載の画像処理プログラム。
【請求項１６】
前記重畳手順は、前記印刷物に対して許可される複写の回数ごとに異なる前記消えるパターンを重畳させることを特徴とする請求項１５記載の画像処理プログラム。
【請求項１７】
前記重畳手順は、前記印刷物に対して前記複写が許可されない場合は、前記消えないパターンを重畳させ、前記消えるパターンは重畳させないことを特徴とする請求項１４乃至１６いずれか一項記載の画像処理プログラム。
【請求項１８】
前記重畳手順は、前記印刷物に対して許可される複写の回数に制限が無い場合は前記消えないパターンを重畳させないことを特徴とする請求項１４乃至１７いずれか一項記載の画像処理プログラム。
【請求項１９】
前記原稿画像の印刷指示に応じ、前記出力画像を印刷装置に印刷させる印刷制御手順を有することを特徴とする請求項１４乃至１８いずれか一項記載の画像処理プログラム。
【請求項２０】
原稿の複写の許否を前記原稿の原稿画像に含まれているパターンに応じて判定する画像処理プログラムであって、
前記複写の際の所定の画像処理によって消えるパターンが前記原稿画像に含まれているかを判定する第一の判定手順を有し、
前記原稿画像に前記消えるパターンが含まれている場合は前記複写を許可することを特徴とする画像処理プログラム。
【請求項２１】
前記所定の画像処理によって消えないパターンが前記原稿画像に含まれているかを判定する第二の判定手順を有し、
前記原稿画像に前記消えないパターンが含まれており、前記消えるパターンが含まれていない場合は前記複写を許可しないことを特徴とする請求項２０記載の画像処理プログラム。
【請求項２２】
前記原稿画像に含まれている前記消えるパターンの態様に応じ、前記原稿画像に新たな前記消えるパターンを重畳させた出力画像を生成するパターン追加手順を有することを特徴とする請求項２０又は２１記載の画像処理プログラム。
【請求項２３】
前記パターン追加手順は、前記原稿画像に含まれている前記消えるパターンと異なる前記消えるパターンを重畳させることを特徴とする請求項２２記載の画像処理プログラム。
【請求項２４】
前記原稿画像に前記消えないパターンが含まれていない場合は前記複写を許可することを特徴とする請求項２０乃至２３いずれか一項記載の画像処理プログラム。
【請求項２５】
前記複写を許可しないときは、前記原稿画像を破壊した画像を複写結果として出力させることを特徴とする請求項２０乃至２４いずれか一項記載の画像処理プログラム。
【手続補正２】
【補正対象書類名】明細書
【補正対象項目名】発明の名称
【補正方法】変更
【補正の内容】
【発明の名称】画像処理装置及び画像処理プログラム
【手続補正３】
【補正対象書類名】明細書
【補正対象項目名】０００１
【補正方法】変更
【補正の内容】
【０００１】
本発明は、画像処理装置及び画像処理プログラムに関し、特に画像の複写を制限する画像処理装置及び画像処理プログラムに関する。
【手続補正４】
【補正対象書類名】明細書
【補正対象項目名】００１１
【補正方法】変更
【補正の内容】
【００１１】
本発明は、上記の点に鑑みてなされたものであって、紙文書の複写回数を柔軟に制限することのできる画像処理装置及び画像処理プログラムの提供を目的とする。
【手続補正５】
【補正対象書類名】明細書
【補正対象項目名】００１４
【補正方法】変更
【補正の内容】
【００１４】
また、上記課題を解決するため、本発明は、上記画像処理装置における処理手順をコンピュータに実行させるための画像処理プログラムとしてもよい。
【手続補正６】
【補正対象書類名】明細書
【補正対象項目名】００１５
【補正方法】変更
【補正の内容】
【００１５】
本発明によれば、紙文書の複写回数を柔軟に制限することのできる画像処理装置及び画像処理プログラムを提供することができる。